(57)【要約】  本発明は、放電ランプの点弧回路装置に関する。この点弧回路装置には、入力電圧を供給する第１および第２の入力端子と、入力側と出力側を有しており入力側が第１および第２の入力端子と接続されているインバータと、放電ランプ（Ｌａ）を接続するための第１および第２の出力端子と、インバータの出力側と第１の出力端子との間に接続された共振インダクタンスと、この共振インダクタンスを含む共振回路と、インバータの出力側から供給される信号の周波数を調整する調整装置（１０）が設けられている。本発明によれば電流測定装置が設けられており、これは共振回路内の電流と相関している電流（Ｉist（ｆ））を測定するための配置されている。調整装置（１０）は、測定された電流（Ｉist（ｆ））に依存してインバータの出力側における周波数（ｆ）を調整する。本発明はさらに、この種の回路装置において放電ランプを点弧する方法にも関する。
2010509718.tif 000002
【特許請求の範囲】
【請求項１】
入力電圧（Ｕzw）を供給する第１および第２の入力端子と、
入力側と出力側を備え該入力側が前記第１および第２の入力端子と接続されているインバータと、
放電ランプ（Ｌａ）を接続するための第１および第２の出力端子と、
前記インバータの出力側と前記第１の出力端子との間に接続された共振インダクタンス（Ｌ２）と、
該共振インダクタンス（Ｌ２）を含む共振回路と、
前記インバータの出力側から供給される信号の周波数（ｆ）を調整するための調整装置（１０）が設けられている、
放電ランプの点弧回路装置において、
電流測定装置（Ｒsh）が設けられており、該電流測定装置（Ｒsh）は共振回路内の電流と相関している電流を測定するために配置されており、
前記調整装置（１０）は、測定された電流（Ｉist）に依存して前記インバータの出力側における周波数（ｆ）を調整することを特徴とする、
放電ランプの点弧回路装置。
【請求項２】
電圧変換器（Ｌ１，Ｄ１，Ｓ１，Ｃ１）が設けられており、該電圧変換器（Ｌ１，Ｄ１，Ｓ１，Ｃ１）は、前記第１および第２の入力端子と前記インバータの入力側との間に接続されており、
前記電流測定装置はシャント（Ｒsh）として構成されていて該電圧変換器（Ｌ１，Ｄ１，Ｓ１，Ｃ１）内に配置されており、
該電圧変換器（Ｌ１，Ｄ１，Ｓ１，Ｃ１）は基準電位と接続されていて、前記シャント（Ｒsh）を流れる電流が前記共振回路における電流と相関している、
請求項１記載の回路装置。
【請求項３】
前記調整装置（１０）は、前記共振回路における電流の最大値（Ｉmax）と相関する値を格納するための第１の記憶装置（１２）と、前記共振回路における電流と相関しており前記インバータの出力側における信号の目下の周波数で生じる値（Ｉist（ｆ））を前記第１の記憶装置（１２）に格納されている最大値（Ｉmax）と比較する比較装置（１４）と、書き込み装置（１６）を有しており、
前記書き込み装置（１６）は、前記共振回路における電流と相関しており前記インバータの出力側における信号の目下の周波数で生じる値（Ｉist（ｆ））が、先行してエントリされている最大値（Ｉmax）よりも大きいならば、前記共振回路における電流と相関する値（Ｉist（ｆ））を前記第１の記憶装置（１２）に書き込む、
請求項１または２記載の回路装置。
【請求項４】
前記調整装置（１０）は、前記インバータの出力側における信号の周波数を制御する制御装置（２０）と、差値（ΔＩ）が書き込まれている第２の記憶装置（１８）を有しており、
前記比較装置（１４）は、前記第１の記憶装置（１２）に格納されている最大値（Ｉmax）と、前記インバータの出力側における信号の目下の周波数で生じる値（Ｉist（ｆ））との差（ＩDiff（ｆ））を形成し、該差（ＩDiff（ｆ））を前記第２の記憶装置（１８）に書き込まれている差値（ΔＩ）と比較し、
前記制御装置（２０）は前記インバータの出力側における信号の周波数を、前記差（ＩDiff（ｆ））が前記第２の記憶装置（１８）に書き込まれている差値（ΔＩ）よりも大きくなるか該差値（ΔＩ）と等しくなるまで、一方の方向に変化させ、すなわち低くするかまたは高くし、ついで前記差（ＩDiff（ｆ））が前記第２の記憶装置（１８）に書き込まれている差値（ΔＩ）よりも再び大きくなるか該差値（ΔＩ）と等しくなるまで、他方の方向に変化させ、すなわち高くするかまたは低くする、
請求項３記載の回路装置。
【請求項５】
前記差値（ΔＩ）は最大で前記最大値（Ｉmax）の５０％であり、有利には前記最大値（Ｉmax）の５〜３０％である、請求項１から４のいずれか１項記載の回路装置。
【請求項６】
前記インバータの出力側における周波数は最大１ｋＨｚの跳躍で変えられ、有利には最大５０Ｈｚで変えられる、請求項１から５のいずれか１項記載の回路装置。
【請求項７】
前記調整装置（１０）の時定数は最大５ｍｓであり、有利には最大２ｍｓである、請求項１から６のいずれか１項記載の回路装置。
【請求項８】
入力電圧（Ｕzw）を供給する第１および第２の入力端子と、入力側と出力側を有しており該入力側が前記第１および第２の入力端子と接続されているインバータと、放電ランプ（Ｌａ）を接続するための第１および第２の出力端子と、前記インバータの出力側と前記第１の出力端子との間に接続された共振インダクタンス（Ｌ２）と、該共振インダクタンス（Ｌ２）を含む共振回路と、前記インバータの出力側から供給される信号の周波数（ｆ）を調整するための調整装置（１０）が設けられている回路装置を用いた放電ランプ（Ｌａ）の点弧方法において、
共振回路内の電流と相関している電流（Ｉist（ｆ））を測定するステップと、
測定された該電流（Ｉist（ｆ））に依存して前記インバータの出力側における周波数（ｆ）を調整するステップを有することを特徴とする、
放電ランプ（Ｌａ）の点弧方法。
【請求項９】
ａ）目下の周波数で生じている目下の電流値（Ｉist（ｆ））を測定するステップと、
ｂ）現在の電流最大値に対応する記憶されている電流値（Ｉmax）と、前記目下の電流値（Ｉist（ｆ））との差（ＩDiff）を求めるステップが設けられており、
ｂ１）高い周波数から低い周波数への調整が目下行われているならば
ｂ１１）前記差（ＩDiff）が記憶されている差値（ΔＩ）よりも小さいならば、目下の周波数を所定の周波数値（Δｆ）だけ低減し、
ｂ１２）前記差（ＩDiff）が記憶されている差値（ΔＩ）よりも大きいかまたは等しいならば、目下の周波数を所定の周波数値（Δｆ）だけ上昇させ、
ｂ２）低い周波数から高い周波数への調整が目下行われているならば、
ｂ２１）前記差（ＩDiff）が記憶されている差値（ΔＩ）よりも小さいならば、目下の周波数を所定の周波数値（Δｆ）だけ上昇させ、
ｂ２２）前記差（ＩDiff）が記憶されている差値（ΔＩ）よりも大きいかまたは等しいならば、目下の周波数を所定の周波数値（Δｆ）だけ低減し、
ｃ）目下の電流値（Ｉist（ｆ））を現在の最大値として記憶されている電流値（Ｉmax）と比較するステップが設けられており、
ｃ１）目下の電流値（Ｉist（ｆ））が記憶されている電流値（Ｉmax）よりも大きければ、目下の電流値（Ｉist（ｆ））をこれまで記憶されていた電流値（Ｉmax）の代わりに格納し、
ｃ２）目下の電流値（Ｉist（ｆ））が記憶されている電流値（Ｉmax）よりも小さければ、目下の電流値（Ｉist（ｆ））をキャンセルし、
ｄ）前記ステップａ），ｂ），ｃ）を前記放電ランプ（Ｌａ）が点弧するまで繰り返すステップが設けられている、
請求項８記載の方法。
【請求項１０】
個々の電流値の代わりに該電流値と相関している電圧値を測定し評価して記憶する、請求項８または９記載の方法。
【発明の詳細な説明】
【技術分野】
【０００１】
本発明は、放電ランプを点弧ないしは始動するための回路装置に関する。この放電ランプには、入力電圧を供給するための第１および第２の入力端子と、入力側および出力側を有するインバータが設けられており、インバータの入力側は第１および第２の入力端子と接続されている。さらにこの放電ランプには、放電ランプを接続するための第１および第２の出力端子と、インバータの出力側と第１の出力端子との間に接続された共振インダクタンスと、この共振インダクタンスを含む共振回路と、インバータ出力側から供給される信号の周波数を調整する調整装置が設けられている。本発明はさらに、この種の回路装置において放電ランプを点弧ないしは始動する方法にも関する。
【背景技術】
【０００２】
本発明は一般的にいえば、放電ランプ点弧のために十分高い電圧を共振回路の励起によりその共振周波数の領域で発生させる問題に係わるものである。この場合、従来技術によればたとえば共振回路の出力電圧が測定され、あるいは公差ないしは許容差ゆえに発生する可能性のある共振周波数範囲全体にわたり掃引が行われ、つまり低い周波数から高い周波数へ、ついで高い周波数から低い周波数へ、という具合に交互に掃引が行われる。１つめの手順によればその際、共振回路のための適切な励起周波数を選択するために、たとえば分圧器を用いて共振回路の出力電圧が測定される。点弧電圧が数ｋＶの領域にあるとするならば、このような高い電圧のために分圧器の素子を設計しなければならない。しかも出力電圧を測定するためには、コンポーネントが余分に必要とされることから著しく複雑な構成にしなければならず、それによって不所望に高いコストが生じてしまう。共振回路の出力側における電圧はインバータが用いられていることから交流電圧として発生するので、その測定にあたり交流成分を取り除くためにフィルタを設けなければならず、このフィルタのためにコンポーネントおよび取り付けの点で余分に複雑になってしまう。２つめのやり方によれば、つまり掃引を行う場合には、必要とされるコンポーネントはたしかに少なくなるけれども、発生する可能性のある共振周波数について公差ないしは許容偏差の付随する範囲全体にわたり掃引を行うと、平均出力電圧が低くなり、ひいては点弧条件が劣化してしまう。
【発明の概要】
【発明が解決しようとする課題】
【０００３】
したがって本発明の課題は、冒頭で述べた回路装置もしくは冒頭で述べた方法において、放電ランプを点弧ないしは始動するための共振回路の共振周波数に対する調整を僅かなコストで実現できるようにすることである。
【課題を解決するための手段】
【０００４】
この課題は、請求項１記載の特徴を備えた回路装置および請求項８記載の特徴を備えた方法により解決される。
【０００５】
本発明が基礎とする着想は、共振回路の出力電圧を測定する代わりに共振回路内を流れる電流を測定すれば、共振回路の共振周波数に対しいっそう低コストの調整が可能となる点にある。これにより一方では、高い電圧のために設計された分圧器を設けなくてもよくなる。つまり電流測定は、電流回路に直列に接続された低オームのシャント抵抗により行われる。シャント抵抗における電圧は一般に１Ｖよりも小さい。さらに他方、本発明によればさらに別の状況が得られるようになる。すなわち電流測定のためのこの種のシャント抵抗は、放電ランプを駆動するためのつまり放電ランプの持続動作中に様々な動作パラメータを調整するための電子的なバラストにいずれにせよ設けられており、したがって本発明によればこの種のシャント抵抗を、放電ランプ点弧と関連した調整においても利用することができる。
【０００６】
さらに補足的に述べておくと、本発明の範囲内で完全な共振周波数ないしは共振周波数全体による励起のほか、共振周波数の奇数部分による励起も行うことができ、これによってインバータにおける電子スイッチのスイッチング速度に関する要求を低減することができる。
【０００７】
１つの有利な実施形態によれば回路装置はさらに電圧変換器を有しており、これは第１および第２の入力端子とインバータの入力側との間に接続されており、電流測定装置はシャントとして構成されていて電圧変換器内に配置されており、その際、電圧変換器は、シャントを流れる電流が共振回路内の電流と相関づけられているよう基準電位と接続されている。共振回路内にシャント抵抗を配置するのとは異なり、このやり方により得られる利点は、電位なしの複雑な測定を省略できることである。
【０００８】
有利には調整装置は、共振回路内の電流と相関づけられた値を格納するための第１の記憶装置と、インバータ出力側における信号の目下の周波数において生じ共振回路内の電流と相関づけられている値を、第１の記憶装置に格納されている最大値と比較する比較装置と、書き込み装置とを有している。この書き込み装置は、インバータ出力側における信号の目下の周波数において生じ共振回路内の電流と相関づけられている値が、これまで書き込まれていた最大値よりも大きければ、その値を第１の記憶装置に入力するように構成されている。
【０００９】
この構成により得られる利点とは、温度依存性等に起因する許容偏差や変動に左右されることなく、目下の周囲条件が考慮されながら本発明による回路装置のために最適な現在電流値（またはこれと相関づけられた値）が、共振周波数に対する調整にあたり回路装置の共振回路において調整量として常に用いられることである。
【００１０】
１つの有利な実施形態によれば調整装置はさらに、インバータ出力側における信号の周波数を制御する制御装置と、差値が書き込まれている第２の記憶装置を有している。さらにこの場合、比較装置は、第１の記憶装置に格納されている最大値と、インバータ出力側における信号の目下の周波数で生じる値との差を形成し、この差を第２の記憶装置に書き込まれている差値と比較する。さらにこの場合、制御装置はインバータ出力側における信号の周波数を、上記の差が第２の記憶装置に書き込まれている差値よりも大きくなるかこの差値と等しくなるまで、一方の方向に変化させ、すなわち低くするかまたは高くし、ついで上記の差が第２の記憶装置に書き込まれている差値よりも再び大きくなるかこの差値と等しくなるまで、他方の方向に変化させ、すなわち高くするかまたは低くするように構成されている。
【００１１】
調整にあたり共振回路の出力電圧に対して適用される従来技術により公知のやり方の場合、許容偏差の伴う共振周波数を見つけるために、本来の共振周波数を中心とした±５％〜±１０％の範囲で掃引が行われていた。共振周波数の許容偏差は周囲条件の変化に左右され、さらにコンポーネントの製造公差に起因する。本発明によれば、共振周波数範囲がやはり掃引され、こえは第２の記憶装置に書き込まれている差値の定義によって行われるけれども、この場合、最大値がいっしょに書き込まれていることから、最大出力電圧と共振周波数に及ぼされる許容偏差と種々の温度の作用が重要なものではなくなり、したがって共振周波数を中心とする周波数範囲を従来技術よりも格段に狭く捕捉できるようになる。その結果、共振回路の平均出力電圧が従来技術によるやり方よりも格段に高められる。これによって、接続される放電ランプの点弧勾配ないしは点弧傾向を著しく改善することができる。
【００１２】
しかも最後に挙げた有利な実施形態によれば、共振回路の電流と相関づけられた信号を捕捉する際に、ノイズの影響を除去するための適切な手段が提供される。このノイズをたとえば有効信号の１〜５％のオーダにおくことができる。電圧測定に関連して従来技術により知られている他のコントロールアルゴリズムであれば、最大値を超えた後にそれよりも低い値が測定されたときにすでに、連続的な周波数上昇もしくは連続的な周波数低減を反転させることになる。このやり方であるとノイズの影響が考慮されず、実際の最大値に何度も達してしまうのが阻止されず、このことで本発明よりも電圧・時間面積ないしは電圧・時間積分が小さくなってしまう。現在の電流最大値（あるいはそれと相関づけられている値）をいっしょに記述し、ノイズの寄与量が確実にカバーされるよう差値を選定することによって、掃引が行われる周波数範囲を最小化することができ、ひいては電圧・時間面積すなわち電圧・時間積分値を最大にすることができる。後者によって、本発明による回路装置に接続されている放電ランプの点弧傾向ないしは点弧勾配の最適化が得られる。
【００１３】
この場合、本発明による回路装置の１つの有利な実施形態によれば、差値は最大値の最大で５０％であり、有利には最大値の５〜３０％である。ここで差値を、点弧プロセス中に既述のように最大値が変化した後、経験ないしは実験により得られた最大値の平均値に基づき設定することもできる。
【００１４】
インバータ出力側の周波数は有利には最大１ｋＨｚの跳躍で変えられ、この周波数を最大５０Ｈｚの跳躍で変化させると有利である。調整装置の時定数は有利には最大５ｍｓであり、さらに有利には最大で２ｍｓである。
【００１５】
本発明による回路装置に関して述べてきた有利な実施形態ならびにそれらの利点は、適用可能であるかぎり、本発明による方法についてもあてはまる。
【００１６】
本発明による方法の殊に有利な実施形態には以下のステップが含まれている：すなわちａ）目下の周波数で生じている目下の電流値を測定するステップと、ｂ）現在の電流最大値に対応する記憶されている電流値と、前記目下の電流値との差を求めるステップが設けられており、ｂ１）現在、高い周波数から低い周波数への調整が行われている場合、ｂ１１）前記差が記憶されている差値よりも小さいならば、目下の周波数を所定の周波数値だけ低減し、ｂ１２）前記差が記憶されている差値よりも大きいかまたは等しいならば、目下の周波数を所定の周波数値だけ上昇させ、ｂ２）現在、低い周波数から高い周波数への調整が目下行われている場合、ｂ２１）前記差が記憶されている差値よりも小さいならば、目下の周波数を所定の周波数値だけ上昇させ、ｂ２２）前記差が記憶されている差値よりも大きいかまたは等しいならば、目下の周波数を所定の周波数値だけ低減し、ｃ）目下の電流値を現在の最大値として記憶されている電流値と比較するステップが設けられており、ｃ１）目下の電流値が記憶されている電流値よりも大きければ、目下の電流値をこれまで記憶されていた電流値の代わりに格納し、ｃ２）目下の電流値が記憶されている電流値よりも小さければ、目下の電流値をキャンセルして破棄し、ｄ）前記ステップａ），ｂ），ｃ）を前記放電ランプ（Ｌａ）が点弧するまで繰り返すステップが設けられている。
【００１７】
本発明によれば個々の電流値の代わりに、それと相関づけられている電圧値をそのまま測定し、評価し、記憶させることができ、これはたとえばシャントにおいて降下する電圧である。
【００１８】
従属請求項にはさらに別の有利な実施形態が示されている。
【００１９】
次に、本発明による回路装置の実施例について添付の図面を参照しながら詳しく説明する。
【図面の簡単な説明】
【００２０】
【図１】本発明による回路装置の実施例を示す図
【図２】シャント抵抗における電圧の時間経過特性を従来技術のやり方の場合（破線）と本発明によるやり方の場合（実線）とで示す図
【図３】本発明による方法のやり方を示すフローチャート
【発明を実施するための形態】
【００２１】
図１には、本発明による回路装置の実施例を示す図が示されている。この回路装置の入力側にはいわゆる中間回路電圧Ｕzwが加わり、この電圧は一般に数１００Ｖの直流電圧である。入力側に続いて電圧変換器が設けられており、これはこの実施例では降圧変換器として構成されていて、スイッチＳ１とンスＬ１とダイオードＤ１とコンデンサＣ１を有している。次にインバータが設けられており、これはこの実施例ではフルブリッジ装置として構成されていて、スイッチＳ２，Ｓ３，Ｓ４，Ｓ５を有している。放電ランプＬａは共振回路を介してインバータの出力側と接続されており、この場合、共振回路はインダクタンスＬ２，Ｌ３およびコンデンサＣ２を有している。さらに回路装置は調整装置１０を有しており、電圧変換器内に配置されたシャント抵抗Ｒshのところで降下する電圧ＵRShがこの調整装置１０へ供給される。調整装置１０は、矢印で示されているようにスイッチＳ２，Ｓ３，Ｓ４，Ｓ５を制御するために４つの出力側を有している。調整装置１０には、第１の記憶装置１２と比較装置１４と書き込み装置１６と第２の記憶装置１８と制御装置２０が設けられており、これらについては図３を参照しながら詳しく説明する。
【００２２】
共振回路における電流は、スイッチＳ２とＳ５が閉じられている時点においてＳ２，Ｌ２，Ｃ２，Ｌ３，Ｓ５，Ｒshの順序で流れる。スイッチＳ３とＳ４が閉じられている時点では、共振回路における電流はＳ４，Ｌ３，Ｃ２，Ｌ２，Ｓ３，Ｒshの順序で流れる。
【００２３】
図２には、共振回路における電流と相関関係にある電圧ＵRShの時間経過特性が示されている。破線で描かれている経過特性は、ノイズ、許容偏差に起因する変動ならびに温度依存性の結果を考慮して最大値に確実に到達するよう設定された周波数範囲を連続的に掃引した場合に生じることになる経過特性である。時点Ｐ１においてインバータ出力側に、共振回路の共振周波数ｆresをもつ信号が供給される。時点Ｐ１から時点Ｐ２まで周波数はたとえば低減され、その際、時点Ｐ２においてたとえば１０％といった所定のパーセント値による最大の低減に至る。したがって時点Ｐ２において、インバータ出力側における信号周波数が０．９ｆresとなる。時点Ｐ２から、すなわち上述の最小の周波数に到達した後、周波数はたえず上昇していき、時点Ｐ３において再び共振周波数ｆresに達する。最終的に時点Ｐ４までさらに上昇していき、この時点において共振周波数は所定の量だけたとえば１０％だけ超えておりオーバシュートしている。したがって時点Ｐ４において周波数は１．１ｆresとなる。そして時点Ｐ４から周波数が再び低減される、という具合に続く。
【００２４】
本発明による回路装置により得られる実線の特性曲線については、図３について説明した後に再び戻ることにする。
【００２５】
図３には、本発明による方法のフローチャートが示されている。図３のフローチャートでは共振回路における電流の値が測定され評価されるけれども、当業者であれば本発明の枠内でこの電流値の代わりに、共振回路における電流と相関関係にある他の電流値を測定し評価して記憶することもでき、たとえば電圧値を測定し評価して記憶することもできる。
【００２６】
本発明による方法はまずはステップ１００においてスタートする。ステップ１１０において、共振回路における電流の現在の値Ｉist（ｆ）が目下の周波数に依存して測定される。図１および図２に示した実施例を参照すると、この測定はシャント抵抗Ｒshにおける電圧ＵRShを調整装置１０により求めることに相応する。ついでステップ１２０において、第１の記憶装置１２に格納されている共振回路における電流最大値Ｉmaxと、目下の信号周波数においてインバータ出力側に生じた値Ｉist（ｆ）との差が比較装置において形成される。図１および図２の実施例によれば、第１の記憶装置１２に電圧ＵRShの最大値が格納されている。
【００２７】
後続の処理において重要となるのは、現在のところ高い方の周波数から低い方の周波数へ調整が移行しているのか、あるいはその逆であるのか、ということである。これについてはステップ１３０において調べられる。調整が目下、高い周波数から低い周波数へ移行しているのであればステップ１４０において、事前に求められた差ＩDiffが第２の記憶装置１８に格納されている差値ΔＩと比較される。ＩDiffがΔＩよりも小さいという比較結果が出たならば、ステップ１５０において制御装置２０は、まえもって定められた周波数段階Δｆだけ周波数を低減させる。ただしＩDiffがΔＩよりも大きければ、ステップ１６０において制御装置２０は周波数をΔｆだけ上昇させる。
【００２８】
ただしステップ１３０において、目下のところ調整が小さい周波数から大きい周波数へ移行していることが判明したならば、ステップ１７０においてやはり、ＩDiffがΔＩよりも小さいか否かがチェックされる。このケースでは、ステップ１８０において周波数がΔｆだけ高められる。ステップ１７０におけるチェックにおいて否定の判定がなされた場合には、ステップ１９０において周波数がΔｆだけ低減される。当業者であれば明らかであるように、同じ結果を得るために当然ながらステップ１３０と１６０もしくは１７０の順序を交換してもよい。
【００２９】
ついでステップ２００において、新たな最大値を第１の記憶装置１２に格納すべきかを判定するために、差ＩDiffがゼロよりも小さいか否かがチェックされる。ゼロよりも小さいのであればステップ２１０において、現在の周波数において生じている電流値Ｉist（ｆ）が新たな値Ｉmaxとして第１の記憶装置１２に格納される。ＩDiffがゼロよりも大きいならば、新たな最大値は存在せず、その結果、ステップ２２０において現在の値Ｉist（ｆ）が破棄されキャンセルされる。その後、周波数変更により生じる値Ｉist（ｆ）を測定する方法はステップ１１０へ戻る。これらのステップは放電ランプが点弧ないしは始動するまで繰り返される。当業者であれば明らかなように、ステップ１３０〜１９０およびステップ２００〜２２０をパラレルに実行することもできる。
【００３０】
再び図２に戻ると実線で描かれている特性曲線は、本発明による回路装置における電圧ＵRShの時間経過特性を表している。この場合、時点Ｐ５，Ｐ６，Ｐ７は周波数掃引時の反転ポイントを表している。この実施例では、図２において従来技術に関して描いた破線の特性曲線を参照して説明したように、周波数はＰ１からＰ２に向かって低減されていた。これに対し本発明のやり方によれば、ここに示されている時点Ｐ５から周波数はすでに再び高められ、シャント抵抗Ｒshにおける電圧ＵRShの局所的最大値を通過した後、時点Ｐ６において再び低減される。したがって時点Ｐ７から周波数が再び高められる。
【００３１】
それゆえ時点Ｐ５，Ｐ６，Ｐ７において、第１の記憶装置１２に格納されている最大値と現在の値との差が第２の記憶装置１８に格納されている差値に到達し、したがって掃引過程の反転がトリガされる。ここで明らかなように本発明による特性曲線の場合、実際に到達する最大値は互いに異なっている。なぜならばそれらは先行する最大値よりも、第２の記憶装置１８に格納されている値ΔＵRShだけ常に小さいからである。さらにここで明らかなように本発明による特性曲線は、従来技術による特性曲線よりも著しく大きい電圧・時間面積すなわち電圧・時間積分値を有している。
【図１】
2010509718.tif 000003
【図２】
2010509718.tif 000004
【図３】
2010509718.tif 000005
【国際調査報告】
2010509718.tif 000006
2010509718.tif 000007
2010509718.tif 000008
2010509718.tif 000009
2010509718.tif 000010
2010509718.tif 000011